(57)【要約】【課題】薬液及び注射器本体の適切な管理ができると共に、注射器本体に対して注射すべき薬液の種類を自由に組み合わせることのできる安全な針無注射器を提供する。【解決手段】針無注射器は、１つ又は複数のノズル孔２５を有し且つ薬液Ｌが封入されたノズルアンプル１１と、ノズル孔２５から薬液Ｌを押出すための注射器本体１２とよりなる。ノズルアンプル１１に、薬液Ｌを挟んでノズル孔２５と反対側に位置するようにピストン２３が内蔵されている。注射器本体１２に、ピストン２３をノズル孔２５の方向に向かって押圧するための押圧機構３２が備えられている。ノズルアンプル１１が、注射器本体１２に対し取外し自在に取付られている。【選択図】    図１
2004329635.tif 000002
【特許請求の範囲】
【請求項１】
１つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体に、前記ピストンを前記ノズル孔の方向に向かって押圧するための押圧機構が備えられており、
ノズルアンプルが、注射器本体に対し取外し自在に取付られている針無注射器。
【請求項２】
ノズルアンプルが、前記ピストンを露出させたアンプル開口を有しており、アンプル開口縁部に複数の凸状嵌合部が設けられており、
注射器本体が、押圧機構を収容している中空状ハウジングを有しており、前記ハウジングが、前記アンプル開口に連通させられたハウジング開口を有しており、ハウジング開口縁部に、ノズルアンプルに設けられた前記凸状嵌合部に対応する凹状嵌合部が設けられており、
ノズルアンプル及びハウジングを互いに反対方向に回転させることにより、前記凸状嵌合部及び前記凹状嵌合部が嵌め外しされるようになされている、請求項１に記載の針無注射器。
【請求項３】
押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えている、請求項１又は２に記載の針無注射器。
【請求項４】
前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記バネを圧縮させた状態で前記ロッドの係合突起を当接させるストッパ面を有している、請求項３に記載の針無注射器。
【請求項５】
前記保持部材が、前記解放チャンバ内で前記ロッドを取囲むように前記隔壁で受けられているリング部と、前記リング部に直立状に設けられ且つ先端面がストッパ面となされている筒状部とを備えており、前記筒状部を縦断するように複数のスリットが形成されている、請求項４に記載の針無注射器。
【請求項６】
前記各スリットの両縁部の一部が破断可能部によって連結されている、請求項５に記載の針無注射器。
【請求項７】
前記ハウジングが、前記隔壁と間隔をおいて相対する端壁を有しており、解放部材が、前記端壁に形成された保持孔を介して前記ストッパ面に接近・離隔しうるように保持されており、前記ストッパ面が、前記解放部材に近づくにしたがって拡がるテーパ凹状に形成されており、前記解放部材に、前記ストッパ面と対応するようにテーパ凸状に形成された押広げ面が設けられている、請求項５又は６に記載の針無注射器。
【請求項８】
前記保持部材が、前記解放チャンバの周壁を内外に貫通して前記ロッドと直交する方向にのびたロック孔に移動自在に挿入され且つ内方端部にストッパ面が設けられているストッパ片よりなる、請求項４に記載の針無注射器。
【請求項９】
前記解放チャンバの周壁外面に、底面に前記ロック孔の外方端部を開口させ且つ前記ロック孔と直交する方向にのびたガイド溝が形成され、前記ガイド溝にロック部材が移動自在に嵌め入れられ、前記ロック部材の内側面に、前記ストッパ片の外方端部の挿入を許す凹所が形成されている、請求項８に記載の針無注射器。
【請求項１０】
ノズルアンプルに代わり、注射器本体に取付られる安全キャップが備えられており、前記安全キャップに、ノズルアンプルの前記凸状嵌合部に相当する凸状嵌合部が設けられており、前記安全キャップの凸状嵌合部が前記ハウジングの凹状嵌合部に嵌め入れられた状態で、前記ロッドの係合突起と前記保持部材のストッパ面との間に間隙が保持されるようになされている、請求項４〜９のうちのいずれか１項に記載の針無注射器。
【請求項１１】
１つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体は、中空状ハウジング内に前記ピストンを前記ノズル孔の方向に向かって押圧するための押圧機構を備えており、
押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えており、
前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記解放チャンバ内で前記ロッドを取囲むように前記隔壁で受けられているリング部と、前記リング部に直立状に設けられた筒状部とを備えており、前記筒状部の先端面は、前記バネを圧縮させた状態で前記ロッドの係合突起を当接させるストッパ面となされており、前記筒状部を縦断するように複数のスリットが形成されている針無注射器。
【請求項１２】
前記各スリットの両縁部の一部が破断可能部によって連結されている、請求項１１に記載の針無注射器。
【請求項１３】
前記ハウジングが、前記隔壁と間隔をおいて相対する端壁を有しており、解放部材が、前記端壁に形成された保持孔を介して前記ストッパ面に接近・離隔しうるように保持されており、前記ストッパ面が、前記解放部材に近づくにしたがって拡がるテーパ凹状に形成されており、前記解放部材に、前記ストッパ面と対応するようにテーパ凸状に形成された押広げ面が設けられている、請求項１１又は１２に記載の針無注射器。
【請求項１４】
１つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体は、中空状ハウジング内に前記ピストンを前記ノズル孔の方向に向かって押圧するための押圧機構を備えており、
押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えており、
前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記解放チャンバの周壁を内外に貫通して前記ロッドと直交する方向にのびたロック孔に移動自在に挿入されているストッパ片よりなり、且つ前記ストッパ片の内方端部に、前記バネを圧縮させた状態で前記ロッドの係合突起を当接させるストッパ面が設けられている針無注射器。
【請求項１５】
前記解放チャンバの周壁外面に、底面に前記ロック孔の外方端部を開口させ且つ前記ロック孔と直交する方向にのびたガイド溝が形成され、前記ガイド溝にロック部材が移動自在に嵌め入れられ、前記ロック部材の内側面に、前記ストッパ片の外方端部の挿入を許す凹所が形成されている、請求項１４に記載の針無注射器。
【発明の詳細な説明】
【０００１】
【発明の属する技術分野】
本発明は、ノズル孔から薬液をジェット噴射させて体内所定部位に注射する針無注射器に関し、より詳しくは、１回限りの使用を意図した針無注射器に関する。
【０００２】
【従来の技術】
針無注射器は、その先端のノズル孔から所定量の薬液をジェット噴射させることにより、薬液を患者の体内所定部位に注入する注射器である。すなわち、針無注射器による注射は注入時に注射針を使用しないので、痛みを伴わない、注射痕が極めて小さい、針刺し事故が皆無である等の利点があり、例えば、患者自身が薬液を自己注射する場合にも用いられる。
【０００３】
針無注射器として、例えば、特開平７−２９９１４０号公報には、使い捨て針無注射器が開示されている。この針無注射器では、注射器本体をなす細長いハウジングの先端に、薬液を収容するための円筒形チャンバを持つリザーバが一体に設けられている。
【０００４】
特表平１１−５１４２４２号公報（ＷＯ９５／０３８４４）及び特開２００２−６５８５１号公報には、針無注射器が開示されている。この針無注射器は、注射器本体に、薬液が予め収容されたカートリッジを備え、カートリッジはピストンとオリフィスを含む。アクチュエータはピストンを打撃して注射を引き起こすため、予め圧縮されたバネによって付勢されている。
【０００５】
これら従来の針無注射器では、薬液の収容部と注射器本体とが一体構造となっているため、適切な管理に不向きである。何故ならば、薬液は一般に冷蔵保存されるべきであるが、注射器本体は冷蔵保存されるべきではないからである。
【０００６】
また、これら従来の針無注射器では、圧縮されたバネによる注射器の変形を防止する機構がない。そのため、例えば高温多湿な環境に曝されると注射器の変形が起こりやすく、注射の安全性及び正確性が損なわれる危険がある。
【０００７】
【特許文献１】
特開平７−２９９１４０号公報
【特許文献２】
特表平１１−５１４２４２号公報
【特許文献３】
特開２００２−６５８５１号公報
【０００８】
【発明が解決しようとする課題】
本発明の目的は、薬液及び注射器本体の適切な管理ができると共に、注射器本体に対して注射すべき薬液の種類を自由に組み合わせることのできる安全な針無注射器を提供することにある。
【０００９】
本発明の他の目的は、圧縮されたバネによる注射器の変形が防止された安全な針無注射器を提供することにある。
【００１０】
【課題を解決するための手段】
本発明には、以下の針無注射器が含まれる。
（１）  １つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体に、前記ピストンを前記ノズル孔の方向に向かって押圧するための押圧機構が備えられており、
ノズルアンプルが、注射器本体に対し取外し自在に取付られている針無注射器。
【００１１】
この発明による針無注射器では、ノズルアンプルと注射器本体とは着脱自在であるので、注射器を保管・保存する場合は、薬液が封入されたノズルアンプルを注射器本体から取外した状態として、ノズルアンプルと注射器本体とを別々に保存することが可能である。従って、ノズルアンプルをそれに封入された薬液に最適な温度で冷蔵保存でき、注射器本体を常温保存とすることができ、適切な管理が容易である。使用に際しては、必要な薬液が封入されたノズルアンプルを選択し、これを注射器本体に取付ることができる。従って、注射器本体に対して注射すべき薬液の種類を自由に組み合わせることができる。また、所定量の薬液が予めノズルアンプル中に封入されているので、使用に際して薬液の移し替え操作が不要であり、衛生的で正確な投与量が確保される。押圧機構により、ノズル孔から薬液がジェット噴射される。
【００１２】
（２）  ノズルアンプルが、前記ピストンを露出させたアンプル開口を有しており、アンプル開口縁部に複数の凸状嵌合部が設けられており、
注射器本体が、押圧機構を収容している中空状ハウジングを有しており、前記ハウジングが、前記アンプル開口に連通させられたハウジング開口を有しており、ハウジング開口縁部に、ノズルアンプルに設けられた前記凸状嵌合部に対応する凹状嵌合部が設けられており、
ノズルアンプル及びハウジングを互いに反対方向に回転させることにより、前記凸状嵌合部及び前記凹状嵌合部が嵌め外しされるようになされている、（１）  に記載の針無注射器。
【００１３】
この発明による針無注射器では、ノズルアンプル及びハウジングの少なくとも一方を回転させるだけの簡単な操作によって、注射器本体に対して、ノズルアンプルを着脱することができる。
【００１４】
（３）  押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えている、（１）  又は（２）  に記載の針無注射器。
【００１５】
この発明による針無注射器では、保持部材によるバネ力の解放により、ノズル孔から薬液がジェット噴射される。
【００１６】
（４）  前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記バネを圧縮させた状態で前記ロッドの係合突起を当接させるストッパ面を有している、（３）  に記載の針無注射器。
【００１７】
この発明による針無注射器では、ロッドの係合突起を保持部材のストッパ面に当接させることにより、バネを圧縮させた状態で保持することができる。さらに、バネを圧縮させた状態で、押圧部材のバネ受けがピストンに当接させられているため、保持部材による保持を解放した際に、押圧部材が衝撃を発生させることなくピストンを押圧することができる。もし仮に、ピストンと押圧部材の間に間隔を生じていると、ピストンに押圧部材が衝突したときには衝撃が発生し、大きな発射音がしたり、手に伝わる衝撃が大きい。また、ピストンが破損する恐れがある。さらに、ロッドの係合突起が隔壁の連通孔を通過できない大きさに形成されているため、保持部材による保持を解放した際に、ロッドは所定位置で停止する。このことによって、正確な量の薬液の投与と、薬液投与後の安全性が確保される。ロッドの移動距離は、薬液の投与量すなわちピストンに移動距離に応じて適宜定めるとよい。
【００１８】
（５）  前記保持部材が、前記解放チャンバ内で前記ロッドを取囲むように前記隔壁で受けられているリング部と、前記リング部に直立状に設けられ且つ先端面がストッパ面となされている筒状部とを備えており、前記筒状部を縦断するように複数のスリットが形成されている、（４）  に記載の針無注射器。
【００１９】
筒状部は、例えば、硬質樹脂等の弾性材料によって形成される。この発明による針無注射器では、筒状部の隣り合うスリットで挟まれた部分を変形させることにより、保持部材による保持を解放することができる。
【００２０】
（６）  前記各スリットの両縁部の一部が破断可能部によって連結されている、（５）  に記載の針無注射器。
【００２１】
この発明による針無注射器では、各スリットの両縁部の一部が破断可能部によって連結されているので、圧縮された状態のバネ力に打ち勝って保持部材による保持をより確実に行うことができる。そして、薬液噴射時において、破断可能部が一旦破断されてしまうと、保持部材を再利用することができない。そのため、使い捨ての注射器として、注射器の再使用による感染等の事故を防止できる。
【００２２】
（７）  前記ハウジングが、前記隔壁と間隔をおいて相対する端壁を有しており、解放部材が、前記端壁に形成された保持孔を介して前記ストッパ面に接近・離隔しうるように保持されており、前記ストッパ面が、前記解放部材に近づくにしたがって拡がるテーパ凹状に形成されており、前記解放部材に、前記ストッパ面と対応するようにテーパ凸状に形成された押広げ面が設けられている、（５）  又は（６）  に記載の針無注射器。
【００２３】
この発明による針無注射器では、解放部材を押下るだけの簡単な操作により、保持部材のバネ力の保持を解放することができるため、注射そのものを簡単に行うことができる。
【００２４】
（８）  前記保持部材が、前記解放チャンバの周壁を内外に貫通して前記ロッドと直交する方向にのびたロック孔に移動自在に挿入され且つ内方端部にストッパ面が設けられているストッパ片よりなる、（４）  に記載の針無注射器。
【００２５】
この発明による針無注射器では、ストッパ片を移動させることにより、保持部材のバネ力の保持を解放することができる。このため、注射そのものを簡単に行うことができる。
【００２６】
（９）  前記解放チャンバの周壁外面に、底面に前記ロック孔の外方端部を開口させ且つ前記ロック孔と直交する方向にのびたガイド溝が形成され、前記ガイド溝にロック部材が移動自在に嵌め入れられ、前記ロック部材の内側面に、前記ストッパ片の外方端部の挿入を許す凹所が形成されている、（８）  に記載の針無注射器。
【００２７】
この発明による針無注射器では、ロック部材を移動させることにより、ストッパ片を解放位置に向かってバネ力によって自動的に移動させることができる。
【００２８】
（１０）    ノズルアンプルに代わり、注射器本体に取付られる安全キャップが備えられており、前記安全キャップに、ノズルアンプルの前記凸状嵌合部に相当する凸状嵌合部が設けられており、前記安全キャップの凸状嵌合部が前記ハウジングの凹状嵌合部に嵌め入れられた状態で、前記ロッドの係合突起と前記保持部材のストッパ面との間に間隙が保持されるようになされている、（４）  〜（９）  のうちのいずれかに記載の針無注射器。
【００２９】
この発明による針無注射器では、注射器の保管時、ノズルアンプルを注射器本体に取り付ける使用開始直前までの間には、注射器本体に安全キャップを取付ておくと、前記ロッドの係合突起と前記保持部材のストッパ面との間の間隙が保持される。すなわち、保持部材が、強力なバネ力を常時保持する必要がなく、使用に際してのみ、保持すればよいことになる。このため、高温多湿の環境に置かれても不用意な変形を防止することができる。従って、注射器の安全性及び正確性が確保される。
【００３０】
（１１）    １つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体は、中空状ハウジング内に前記ピストンを前記ノズル孔の方向に向かって押圧するための押圧機構を備えており、
押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えており、
前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記解放チャンバ内で前記ロッドを取囲むように前記隔壁で受けられているリング部と、前記リング部に直立状に設けられた筒状部とを備えており、前記筒状部の先端面は、前記バネを圧縮させた状態で前記ロッドの係合突起を当接させるストッパ面となされており、前記筒状部を縦断するように複数のスリットが形成されている針無注射器。
【００３１】
この発明による針無注射器では、ノズルアンプルと注射器本体とが着脱自在であることに基づく効果を除いて、前記（３）  、（４）  及び（５）  による針無注射器と同様の効果が得られる。
【００３２】
（１２）    前記各スリットの両縁部の一部が破断可能部によって連結されている、（１１）に記載の針無注射器。
【００３３】
この発明による針無注射器では、ノズルアンプルと注射器本体とが着脱自在であることに基づく効果を除いて、前記（６）  による針無注射器と同様の効果が得られる。
【００３４】
（１３）    前記ハウジングが、前記隔壁と間隔をおいて相対する端壁を有しており、解放部材が、前記端壁に形成された保持孔を介して前記ストッパ面に接近・離隔しうるように保持されており、前記ストッパ面が、前記解放部材に近づくにしたがって拡がるテーパ凹状に形成されており、前記解放部材に、前記ストッパ面と対応するようにテーパ凸状に形成された押広げ面が設けられている、（１１）又は（１２）に記載の針無注射器。
【００３５】
この発明による針無注射器では、ノズルアンプルと注射器本体とが着脱自在であることに基づく効果を除いて、前記（７）  による針無注射器と同様の効果が得られる。
【００３６】
（１４）    １つ又は複数のノズル孔を有し且つ薬液が封入されたノズルアンプルと、前記ノズル孔から薬液を押出すための注射器本体とよりなり、
ノズルアンプルに、薬液を挟んで前記ノズル孔と反対側に位置するようにピストンが内蔵されており、
注射器本体は、中空状ハウジング内に前記ピストンを前記ノズル孔の方向に向かって押圧するための押圧機構を備えており、
押圧機構が、前記ピストンに接近・離隔する方向に移動自在である押圧部材と、前記押圧部材を前記ピストンに接近する方向に向かって付勢している圧縮バネと、前記バネを圧縮させた状態で押圧部材の前記バネによる移動を解放自在に保持している保持部材とを備えており、
前記ハウジング内に、一端をハウジング開口とするバネチャンバと、前記バネチャンバとは連通孔を有する隔壁によって仕切られた解放チャンバとが形成されており、
前記押圧部材が、前記バネチャンバ内に位置させられ且つ前記ピストンに当接させれたバネ受けと、前記バネ受けから前記隔壁の連通孔を通して前記解放チャンバ内に突出させられるようにのびたロッドとを備えており、前記ロッドの突出端部外面には係合突起が前記隔壁の連通孔を通過できない大きさに形成されており、前記バネが、前記ロッドを取り囲んで前記隔壁及び前記バネ受け間に介在させられたコイルバネであり、
前記保持部材が、前記解放チャンバの周壁を内外に貫通して前記ロッドと直交する方向にのびたロック孔に移動自在に挿入されているストッパ片よりなり、且つ前記ストッパ片の内方端部に、前記バネを圧縮させた状態で前記ロッドの係合突起を当接させるストッパ面が設けられている針無注射器。
【００３７】
この発明による針無注射器では、ノズルアンプルと注射器本体とが着脱自在であることに基づく効果を除いて、前記（３）  、（４）  及び（８）  による針無注射器と同様の効果が得られる。
【００３８】
（１５）    前記解放チャンバの周壁外面に、底面に前記ロック孔の外方端部を開口させ且つ前記ロック孔と直交する方向にのびたガイド溝が形成され、前記ガイド溝にロック部材が移動自在に嵌め入れられ、前記ロック部材の内側面に、前記ストッパ片の外方端部の挿入を許す凹所が形成されている、（１４）に記載の針無注射器。
【００３９】
この発明による針無注射器では、ノズルアンプルと注射器本体とが着脱自在であることに基づく効果を除いて、前記（９）  による針無注射器と同様の効果が得られる。
【００４０】
【発明の実施の形態】
本発明の実施の形態を図面を参照して説明する。図１は、本発明の注射器の一例の使用時の縦断面図である。図２は、同注射器の保存時の縦断面図である。図３は、図１のＩＩＩ  −ＩＩＩ  線に沿う横断面図である。図４は、図１のＩＶ−ＩＶ線に沿う横断面図である。図５は、同注射器の保持部材の拡大斜視図である。以下の説明において、上下は、図１を基準としていうものとする。
【００４１】
図１を参照すると、針無注射器は、ノズルアンプル１１と、ノズルアンプル１１が取付られる注射器本体１２とを備えている。図２を参照すると、注射器本体１２は、ノズルアンプル１１に代わって、注射器本体１２に取付られる安全キャップ１３を備えている。
【００４２】
ノズルアンプル１１は、上端にアンプル開口２１を有し且つ内部を薬液チャンバ２２とする有底筒体よりなるものである。ノズルアンプル１１の薬液チャンバ２２の底面は、上向き凹状円錐面に形成されている。薬液チャンバ２２内には薬液Ｌ及びその上からピストン２３が収容されている。ノズルアンプル１１は、薬液Ｌを視認するために薬液Ｌに適合するような透明材料製、例えばポリカーボネート等の透明硬質プラスチック製又はガラス製であることが好ましい。
【００４３】
アンプル開口２１縁部には、円環状の一部をなす形状をもつ２つの凸状嵌合部２４が互いに反対方向側方に突き出すように設けられている。各凸状嵌合部２４の挟み角度は、９０度弱である（図３参照）。ノズルアンプル１１下面中央部に薬液チャンバ２２に連通するようにノズル孔２５が形成されている。ノズルアンプル１１の下部にはノズル保護キャップ２６が備えられている。保護キャップ２６は通常、プラスチック製であるが、ノズル孔２５と接触する中心部分には、図示しないシール用の薄いゴム材、例えばシリコーンゴムが取り付けられたものが好ましい。ゴム材によって、薬液の漏れを防止できる。
【００４４】
ピストン２３は通常、プラスチック製であり、ノズルアンプル１１の周壁に上下摺動自在に嵌め合わされた水平円板状のものである。ピストン２３の下面は、薬液チャンバ２２の底面と合致する下向き凸状円錐面に形成されている。ピストン２３の外周面にＯリング２７が取付られている。ピストン２３の上面は、ノズルアンプル１１の上端面と面一である。
【００４５】
注射器本体１２は、垂直筒状ハウジング３１と、ハウジング３１内に収容され且つピストン２３を下向きに押圧するための押圧機構３２とを備えている。ハウジング３１は、強度を保持するためには金属製が好ましいが、プラスチック製であってもよい。
【００４６】
ハウジング３１内は、水平隔壁３３によって下部のバネチャンバ３４及び上部の解放チャンバ３５に仕切られている。隔壁３３中央部には連通孔３６が形成されている。バネチャンバ３４の下端には、アンプル開口２１と合致させられたハウジング開口３７が形成されている。解放チャンバ３５の上端には端壁３８が設けられている。端壁３８中央部には保持孔３９が形成されている。
【００４７】
ハウジング開口３７縁部には、各凸状嵌合部２４を嵌め入れた２つの凹状嵌合部４１が設けられている。各凹状嵌合部４１の挟み角度は、凸状嵌合部２４のそれにほぼ等しい。
【００４８】
押圧機構３２は、ハウジング３１内に上下自在に保持されている押圧部材４２と、押圧部材４２を下向きに付勢している圧縮コイルバネ４３と、バネ４３を圧縮させた状態で押圧部材４２のバネ４３による移動を解放自在に保持している保持部材４４と、保持部材４４による保持を解放する解放部材４５とを備えている。
【００４９】
押圧部材４２は、ピストン２３の上面に当接させられ且つバネチャンバ３４周壁内面と摺接させられた立上り状ガイド筒５１を外周縁部に有している水平円板状バネ受け５２と、バネ受け５２中央部に直立状に設けられ且つ上端部が連通孔３６を介して解放チャンバ３５内に突出させられている垂直ロッド５３とを備えている。ロッド５３の上端部には環状外向き係合突起５４が設けられている。係合突起５４は隔壁３３の連通孔３６を通過できない大きさに形成されている。突起５４の下側面は、上拡がりテーパ状に形成されている。押圧部材４２は、金属製であることが好ましい。
【００５０】
バネ４３は、ロッド５３を取り囲み且つ隔壁３３及びバネ受け５２間に介在させられるようにバネチャンバ３４内に圧縮された状態で収容されている。
【００５１】
保持部材４４は、例えば硬質プラスチックで一体成形されたもので、図４及び図５に詳細に示すように、ロッド５３を取り囲んで隔壁３３で受けられているリング部６１と、ロッド５３と同心となるようにリング部６１上面に直立状に設けられている垂直筒状部６２とよりなる。筒状部６２の内面上端部には環状内向き係合突起６３が設けられている。内向き係合突起６３の上側面には上拡がりテーパ凹状ストッパ面６４が形成されている。ストッパ面６４の内縁部は、ロッド５３の外向き係合突起５４の下側面に下側から係合させられている。筒状部６２を周方向に４等分する位置に、内向き係合突起６３を含めて縦断するようにスリット６５が形成されている。各スリット６５の両縁部の高さの中程部において、易破断性の破断可能部６６によって部分的に連結されている。すなわち、筒状部６２は４つの各片からなり、各片は互いに破断可能部６６によって部分的に連結されている。保持部材４４のプラスチック材料としては、弾性質のものが選択される。図示の例では、筒状部６２はスリット６５によって周方向に４等分されているが、複数個に分けられていればよく、必ずしも等分されている必要性もない。
【００５２】
解放部材４５は、保持孔３９に上下動自在に嵌め入れられているプラスチック製両端閉鎖垂直状筒体よりなる。解放部材４５の底面外周よりの部分には、ストッパ面６４と合致させられた下細りテーパ凸状押広げ面６７が形成されている。解放部材４５を包み込むようにハウジング３１の上端部には保護キャップ６８が付けられている。
【００５３】
ストッパ面６４に押広げ面６７が当接させられた状態で、ロッド５３上端面と解放部材４５の底面中央部の間には若干の破断間隙Ｃ１が形成されている。
【００５４】
安全キャップ１３は、下面中央部に半球状把持部７１を一体に形成したプラスチック製円板状体よりなる。安全キャップ１３の外周縁部には、ノズルアンプル１１の凸状嵌合部２４と同形状の凸状嵌合部７２が２つ同じように設けられている。安全キャップ１３の上面中央部には、アンプル開口２１にぴったりと嵌め入れられ且つ破断間隙Ｃ１に相当する高さをもった円形隆起状押上部７３が設けられている。ハウジング３１の凹状嵌合部４１に安全キャップ１３の凸状嵌合部７２が嵌め入れられることにより、ハウジング３１への安全キャップ１３の取付が果たされている。この状態で、ハウジング３１にノズルアンプル１１が取付られていた状態と比較して、押圧部材４２は、押上部７３の高さに相当する高さだけ持上げられている。これにより、破断間隙Ｃ１に代わって、安全間隙Ｃ２が、ロッド５３の外向き係合突起５４と保持部材４４の内向き係合突起６３との間に形成される。安全間隙Ｃ２が形成されることにより、バネ４３のバネ力は、保持部材４４に全く作用しなくなっている。注射器保管時のさらに高い安全性が確保される。
【００５５】
注射器を使用しない場合、すなわち通常は注射器製造から注射器使用の直前までの間には、注射器本体１２には安全キャップ１３が取付られる。薬液が封入されたノズルアンプル１１は、別途、冷蔵庫等で保存するとよい。
【００５６】
注射器の使用に際しては、ハウジング３１と安全キャップ１３を互いに反対方向に９０度程度回転させる。そうすると、ハウジング３１の凹状嵌合部４１から安全キャップ１３の凸状嵌合部７２が抜け出て、ハウジング３１から安全キャップ１３が取外される。そうすると、安全間隙Ｃ２に代わり、破断間隙Ｃ１が形成される。この状態で、バネ受け５２の下面は、ハウジング３１の下端面と面一となる。
【００５７】
次に、安全キャップ１３に代わり、ハウジング３１に薬液が封入されたノズルアンプル１１を取付ける。ハウジング３１の２つの凹状嵌合部４１の間にノズルアンプル１１の２つの凸状嵌合部２４をそれぞれ位置させて、ハウジング３１と安全キャップ１３を互いに反対方向に９０度程度回転させると、双方の嵌合部２４、４１  がそれぞれに嵌合される。
【００５８】
上下の保護キャップ２６、６８  を取外した後、噴射すべき皮膚等にノズル孔２５を押付け、解放部材４５を押下げる。解放部材４５を押下げると、押広げ面６７がストッパ面６４を斜め下向きに押圧することになり、筒状部６２が上拡がりに拡げられようとする。これにより、まず、全ての破断可能部６６あるいは一部が破断される。続いて、解放部材４５を押下げると、さらに筒状部６２が上拡がりに拡げられるとともに、筒状部６２の各片が弾性変形して外向きに倒れていく。これにともない、ストッパ面６４が次第に外側に移動していき、やがて、ストッパ面６４の内向き係合突起６３とロッド５３の外向き係合突起５４との係合が解除される。そうすると、バネ４３の力によって押圧部材４２が下向きに勢いよく押下げられ、同時に、ピストン２３が押下げられることにより、薬液Ｌが高圧で圧縮され、ノズル孔２５から高速で噴射され皮下注射が行われる。ロッド５３の係合突起５４は隔壁３３の連通孔３６を通過できないので、薬液噴射後、押圧部材４２は所定位置で停止され安全性が確保される。
【００５９】
以上、ノズルアンプルと注射器本体とが着脱自在である針無注射器について説明した。しかしながら、ノズルアンプルと注射器本体とが着脱自在となされていることを除く他の構成、特に押出機構３２、とりわけ保持部材４４、破断可能部６６、押出部材４２、解放部材４５の各構成は、ノズルアンプルが注射器本体に固定されている針無注射器にも適用される。
【００６０】
図６及び図７は、ノズルアンプル１１の変形例を示すものである。図６及び図７において、図１に示す部分と対応する部分については、同一の符号を付して示す。
【００６１】
この変形例によるノズルアンプル１１の薬液チャンバ２２は、上部に位置する１つの大径チャンバ８１と、これの下端にそれぞれ連なる４つの小径チャンバ８２とよりなる。各小径チャンバ８２は、図７に示されるように、大径チャンバ８１の周壁内面が画定する円内に周方向に等間隔で並んでいる。
【００６２】
ピストン２３は、大径チャンバ８１と摺動自在に嵌め合わされ且つ中央部にエア抜き９１を有している１つの水平円板状大径ピストン９２と、大径ピストン９２下面に垂下状に設けられ且つ各小径チャンバ８２に摺動自在に嵌め合わされている４つの垂直丸棒状小径ピストン９３とよりなる。
【００６３】
各小径チャンバ８２の底面が上向き凹状円錐面に形成されるとともに、各小径ピストン９３の下面が小径チャンバ８２の底面と合致する下向き凸状円錐面に形成されている。各小径チャンバ８２の下端にノズル孔９４が形成されている。各小径ピストン９３外面にはＯリング９５が取付られている。
【００６４】
この変形例によるノズルアンプル１１のように、複数個のノズル孔９４が形成されていると、単一ノズル孔の場合に比べ、薬液Ｌを治療部位全体に均一に皮下注射できるという利点がある。従って、治療の目的や薬液の種類に応じて、複数個のノズル孔を有するノズルアンプルを用いるとよい。なお、この変形例では４つのノズル孔を示したが、ノズル孔の数は適宜変更できることは言うまでもない。ノズル孔の数の変更は、ノズルアンプルと注射器本体とが着脱自在である針無注射器にも、ノズルアンプルが注射器本体に固定されている針無注射器にも適用される。
【００６５】
図８及び図９は、保持部材４４の変形例を示すものである。この変形例においては、ハウジング３１の解放チャンバ３５の周壁の一部には厚肉状保持部１０１  が設けられると共に、ロッド５３を挟んで保持部１０１  と反対側には、案内部１０２  が設けられている。案内部１０２  にはロッド５３が摺接させられている。
【００６６】
保持部１０１  にはこれを内外に貫通してロッド５３と直交する方向にのびたロック孔１０３  が形成されている。一方、解放チャンバ３５の周壁外面には上下にのびた内部拡大ガイド溝１０４  が形成されている。ガイド溝１０４  の底面には、ロック孔１０３  の外方端部が開口している。また、ロッド５３の上端部外面には、保持部１０１  に向かってのびた係合突出部１０５  が設けられている。係合突出部１０５  の下面は傾斜面とされている。係合突出部１０５  は隔壁３３の連通孔３６を通過できない大きさに形成されている。
【００６７】
保持部材４４は、ロック孔１０３  に移動自在に挿入され且つ内方端部に上向きストッパ面１１２  が設けられているストッパ片１１１  よりなる。
【００６８】
ガイド溝１０４  にはロック部材１２１  が上下摺動自在に嵌め入れられている。ロック部材１２１  の内側面には、ストッパ片１１１  の外方端部の挿入を許す凹所１２２  が形成されている。
【００６９】
ガイド溝１０４  の上端面にロック部材１２１  が当接させられた状態では、凹所１２２  はガイド溝１０４  の底面によって塞がれている。さらに、同状態では、ガイド溝１０４  の下端面とロック部材１２１  の間には間隙が生じており、この間隙に安全ピン１３１  が抜差し自在に差し込まれている。
【００７０】
安全ピン１３１  によってロック部材１２１  の下向きの移動が規制され、同時に、ロック部材１２１  によってストッパ片１１１  の外向きの移動が規制されている。安全ピン１３１  を抜き去ると、ロック部材１２１  の移動が自由となる。ロック部材１２１  を下向きに移動させ、ストッパ片１１１  と凹所１２２  の高さが一致させられると、ストッパ片１１１  の外向きの移動が自由となる。バネ４３の力によってロッド５３が下向きに付勢させているため、ロッド５３の係合突出部１０５  によってストッパ片１１１  が外向きに押動される。そうすると、係合突出部１０５  とストッパ片１１１  の係合が解除され、バネ４３の力によってロッド５３が一気に押下げられ、同時に、ピストン２３が押下げられることにより、薬液Ｌが高圧で圧縮され、ノズル孔２５から高速で噴射され皮下注射が行われる。ロッド５３の係合突出部１０５  は隔壁３３の連通孔３６を通過できないので、薬液噴射後、押圧部材４２は所定位置で停止され安全性が確保される。
【００７１】
図８及び図９に示された保持部材４４の変形例は、ノズルアンプルと注射器本体とが着脱自在である針無注射器にも、ノズルアンプルが注射器本体に固定されている針無注射器にも適用される。
【００７２】
なお、ノズルアンプルと注射器本体とが着脱自在である針無注射器の場合、図８の変形例は、注射器の使用時における状態を表したものであり、図１に相当する図である。図８の変形例に示す注射器を保存しておく場合には、図２に示したのと同じように、注射器本体１２に安全キャップ１３が取付られる。安全キャップ１３を取り付けることによって、ロッド５３は、キャップ１３の押上部７３の高さに相当する高さだけ持上げられ、ロッド５３の係合突出部１０５  とストッパ片１１１  との間に安全間隙（図２における安全間隙Ｃ２に相当する）が形成される。安全間隙により、バネ４３のバネ力は、ストッパ片１１１  に全く作用しないので、保存時の注射器のより高い安全性が確保される。
【００７３】
以上のように、複数個のノズル孔を有するノズルアンプルの変形例、及び保持部材の変形例を示したが、本発明の針無注射器はこれらに限定されることなく、種々の形態で実施することができる。従って、上述の実施の形態は単なる例示にすぎず、限定的に解釈してはならない。
【００７４】
【発明の効果】
本発明によれば、薬液及び注射器本体の個別の適切な管理ができると共に、注射器本体に対して注射すべき薬液の種類を自由に組み合わせることのできる安全な針無注射器が提供される。
【００７５】
本発明の針無注射器では、注射器本体保管時において強力なバネ力が保持部材に全く作用しない機構を有するため、保管時の高い安全性が確保されている。また、薬液注射後において押圧部材が所定位置で停止する押圧機構を有するため、薬液注射後の高い安全性も確保されている。さらに、薬液注射後に保持部材を再利用することができないため、使い捨ての注射器として、注射器の再使用による感染等の事故を防止できる。
【００７６】
ノズルアンプルと注射器本体とが着脱自在ではないタイプの針無注射器では、ノズルアンプルと注射器本体とが着脱自在であることに基づく効果を除いて、上記と同様の効果が得られる。
【００７７】
バネ力と薬液噴射力とは、一般に相関性があるので、バネ力を適宜調整することにより、治療の目的や部位に応じた最適の針無注射器が得られる。本発明の針無注射器は、通常の注射に用いる他に、関節鏡、腹腔鏡、胸腔鏡等の硬性内視鏡と共に適用すること、或いは術中に適用すること、或いはカテーテル治療に適用することが容易であるので、体内の治療部位に直接押し当てて用いることもできる。これにより、体内の治療部位に直接薬液を投与（細胞移入）することができる。
【図面の簡単な説明】
【図１】本発明の注射器の一例の使用時の縦断面図である。
【図２】同注射器の保存時の縦断面図である。
【図３】図１のＩＩＩ  −ＩＩＩ  線に沿う横断面図である。
【図４】図１のＩＶ−ＩＶ線に沿う横断面図である。
【図５】同注射器の保持部材の拡大斜視図である。
【図６】本発明の注射器の変形例によるノズルアンプルの縦断面図である。
【図７】図６のＶＩＩ  −ＶＩＩ  線に沿う横断面図である。
【図８】本発明の注射器の変形例による保持部材の縦断面図である。
【図９】図８に示す部分の側面図である。
【符号の説明】
１１：ノズルアンプル
１２：注射器本体
２３：ピストン
２５：ノズル孔
３２：押圧機構
Ｌ：薬液
【図１】
2004329635.tif 000003
【図２】
2004329635.tif 000004
【図３】
2004329635.tif 000005
【図４】
2004329635.tif 000006
【図５】
2004329635.tif 000007
【図６】
2004329635.tif 000008
【図７】
2004329635.tif 000009
【図８】
2004329635.tif 000010
【図９】
2004329635.tif 000011